(57)【要約】本発明は、消費者と販売者との間で電子支払取引を行うために使用する非接触型支払装置の機能的相互運用性を増強するためのシステム及び方法に関するものである。これらの非接触型支払装置は、消費者に対して発行されたＲＦＩＤ埋込型カード、及び販売者によって配備されたＲＦＩＤ対応型リーダのような近接型結合装置である。このシステム及び方法は、基準カード及び基準リーダを使用して、発行されたカード及び配備されたリーダのそれぞれについて許容される仕様を確立することを含む。これらの基準カード及び基準リーダは相互較正されて、カード及びリーダについての動作仕様を結び付ける。適正なカード及びリーダの機能のための重複した仕様範囲または許容誤差の適切な選択が、発行されたカードの配備されたリーダとの相互運用性を増強し、配備されたリーダの発行されたカードとの相互運用性も増強する。
2008507044.tif 000002
【特許請求の範囲】
【請求項１】
カード及びリーダ等の非接触型支払装置のシステムであって、前記装置の動作中に、前記リーダが信号を送信し、該信号は前記リーダの相手の前記カードによって受信され、前記カードが信号を送信し、該信号は前記カードの相手の前記リーダによって受信されるシステムにおいて、該システムが、
前記装置によって送信される信号に関するパラメータの仕様範囲Ｒtxと；
前記装置の相手の装置によって受信される信号のパラメータ値の仕様範囲Ｒrxとを具え、
前記装置の各々は、前記仕様範囲Ｒtx内にあるパラメータ値Ｃを有する信号を送信すべく仕様設定され、
前記相手の装置の各々は、受信した信号のパラメータが前記仕様範囲Ｒrx内の値を有する際に適正に動作すべく仕様設定され、前記仕様範囲Ｒtxは前記仕様範囲Ｒrxの部分集合であり、よって前記パラメータ値Ｃは前記仕様範囲Ｒrx内にあり、従って前記相手の装置は、任意の前記装置によって送信された信号に応答して適正に動作することができることを特徴とする非接触型支払システム。
【請求項２】
前記リーダによって送信される信号が、電力信号及びデータ信号を含むことを特徴とする請求項１に記載のシステム。
【請求項３】
前記カードによって送信される信号がデータ信号を含むことを特徴とする請求項１に記載のシステム。
【請求項４】
さらに、基準装置、及び該基準装置の相手の基準装置を具えていることを特徴とする請求項１に記載のシステム。
【請求項５】
さらに、前記相手の基準装置を用いて測定した値が前記仕様範囲Ｒtx内にあるパラメータ値Ｃを有する信号を、前記装置の各々が送信していることの仕様検証を含むことを特徴とする請求項４に記載のシステム。
【請求項６】
前記装置の各々がリーダであり、前記相手の装置の各々がカードであり、前記リーダによって送信される信号はカードを作動させる電力信号であり、前記リーダによって送信される信号の電力レベルを、前記相手の基準装置上で測定することを特徴とする請求項５に記載のシステム。
【請求項７】
前記装置の各々がリーダであり、前記相手の装置の各々がカードであり、前記リーダによって送信される信号はデータ信号であり、前記リーダによって送信される信号の特性を、前記相手の基準装置上で測定することを特徴とする請求項５に記載のシステム。
【請求項８】
前記装置の各々がカードであり、前記相手の装置の各々がリーダであり、前記カードによって送信される信号は負荷変調されたデータ信号を含み、前記カードによって送信される信号の変調特性を、前記相手の基準装置上で測定することを特徴とする請求項５に記載のシステム。
【請求項９】
さらに、前記基準装置を用いることによって受信した信号のパラメータが前記仕様範囲Ｒrx内の値を有する際に、前記相手の装置の各々が適正に動作していることの仕様検証を含むことを特徴とする請求項４に記載のシステム。
【請求項１０】
前記基準装置を、前記相手の基準装置の特性に対して較正し、逆に、前記相手の基準装置を、前記基準装置の特性に対して較正することを特徴とする請求項４に記載のシステム。
【請求項１１】
各々が相互間の信号送信及び信号受信の機能を有する非接触型のカード及びリーダ等の支払装置に基づく電子支払システムにおいて、送信装置の、一組の異なる受信装置との相互運用性を増強し、逆に、受信装置の、一組の異なる送信装置との相互運用性の段階を向上させる方法において、
前記送信装置によって送信される信号に関するパラメータ値の範囲（Ｒtx）を識別し、前記信号に応答して、前記一組の異なる受信装置の各々が適正に動作するステップと；
前記一組の異なる送信装置が、適正な動作において、前記範囲Ｒtx内にあるパラメータ値を有する信号のみを送信するように、前記一組の異なる送信装置を仕様設定するステップと；
前記受信装置によって受信される信号に関するパラメータ値の範囲（Ｒrx）を識別するステップであって、前記範囲Ｒrxは前記範囲Ｒtxを含むステップと；
前記一組の異なる受信装置が、前記範囲Ｒtx内にあるパラメータ値を有する受信信号に応答して適正に動作するように、前記一組の異なる受信装置を仕様設定するステップと
を具え、
前記仕様設定された通りに動作する前記送信装置のすべてが、所定信号に対応するパラメータ値を有する信号のみを発生することができ、前記受信装置は、前記所定信号に対して適正に動作するように仕様設定されていることを特徴とする電子支払方法。
【請求項１２】
前記リーダによって送信される信号が、電力信号及びデータ信号を含むことを特徴とする請求項１１に記載の方法。
【請求項１３】
前記カードによって送信される信号がデータ信号を含むことを特徴とする請求項１１に記載の方法。
【請求項１４】
さらに、基準装置及び該基準装置の相手の基準装置を具えて、装置のパラメータを検証するステップを具えていることを特徴とする請求項１１に記載の方法。
【請求項１５】
さらに、前記送信装置の各々が、前記相手の基準装置を用いて測定した値が前記範囲Ｒtx内にあるパラメータ値Ｃを有する信号を送信することの仕様検証のステップを具えていることを特徴とする請求項１４に記載の方法。
【請求項１６】
前記装置の各々がリーダであり、前記装置の相手の装置の各々がカードであり、前記リーダによって送信される信号はカードを作動させる電力信号であり、前記仕様検証のステップがさらに、前記リーダによって送信される信号の電力レベルを、前記相手の基準装置上で測定するサブステップを具えていることを特徴とする請求項１５に記載の方法。
【請求項１７】
前記装置の各々がリーダであり、前記相手の装置の各々がカードであり、前記リーダによって送信される信号はデータ信号を含み、前記仕様検証のステップがさらに、前記リーダによって送信される信号の特性を、前記相手の基準装置上で測定するサブステップを具えていることを特徴とする請求項１５に記載の方法。
【請求項１８】
前記装置の各々がカードであり、前記相手の装置の各々がリーダであり、前記カードによって送信される信号は負荷変調されたデータ信号を含み、前記カードによって送信される信号の変調特性を、前記相手の基準装置上で測定することを特徴とする請求項１５に記載の方法。
【請求項１９】
さらに、前記基準装置を用いることによって受信した信号のパラメータ値が前記範囲Ｒrx内の値を有する際に、前記相手の装置の各々が適正に動作して、前記範囲Ｒrx全体にわたるパラメータ値を有する異なる信号を発生することの仕様検証のステップを具えていることを特徴とする請求項１４に記載の方法。
【請求項２０】
さらに、前記基準装置を前記相手の基準装置の特性に対して較正し、逆に、前記相手の基準装置を前記基準装置の特性に対して較正する較正ステップを具えていることを特徴とする請求項１４に記載の方法。
【発明の詳細な説明】
【技術分野】
【０００１】
（関連出願へのクロスリファレンス）
本願は、2004年7月15日出願の米国暫定特許出願番号60/588,270に基づいて優先権を主張する。本願は、同日出願の米国特許４件にも関連し、これらのすべてが特許出願番号60/588,270に基づいて優先権を主張する。上記特許出願のすべては、その全文を参考文献として本明細書に含める。
【０００２】
（発明の背景）
無線周波数識別（電波方式認識）（ＲＦＩＤ：Radio Frequency Identification）タグは、アンテナに接続された小型集積回路（ＩＣ）であり、単純な識別情報を有する問合せＲＦ信号、あるいはＩＣのサイズ次第ではより複雑な信号に応答することができる。ＲＦＩＤ技術は、通信のために接点または視線を必要としない。無線周波数識別（ＲＦＩＤ）技術は現在、経済的に実現可能であり、商業及び工業用途においてより一層開発されている。例えば、ＲＦＩＤ技術は現在、倉庫内、店舗内の品目上、ＩＤ（識別）またはアクセスカード上、等のタグに広範に使用されている。これに加えて、ＲＦＩＤ技術は支払カード産業において（例えばマスターカード（MasterCard）社、アメリカンエクスプレス（American Express）社、及びビザ（Visa）社によって）、ＲＦＩＤタグを埋め込んだ「非接触型」支払カードまたはクレジットカードの形で導入されてきている。これらの非接触型支払カードは、ＲＦＩＤ対応型の支払端末での無線通信による電子支払取引を行うために使用することができる。非接触型支払カードは、例えば小売店舗、商店またはスーパーマーケットにおいて、商品またはサービスの対価を支払う簡単、迅速かつ便利な方法を消費者に提供することができる。
【０００３】
非接触型支払カード及びカードリーダ（読取器）／端末での使用には、いくつかのＲＦＩＤ技術が利用可能である。非接触型システムの基本的構成要素は、非接触型リーダ（または近接結合装置（ＰＣＤ：Proximity Coupling Device））及びトランスポンダ（中継器）である。非接触型リーダは電子回路に接続されたアンテナである。トランスポンダは、誘導アンテナ、及びこのアンテナの端に接続された集積回路から成る。リーダ−トランスポンダの組合せは変成器として振舞う。交番電流が一次コイル（リーダのアンテナを通って流れて電磁界を生成し、この電磁界が二次コイル（トランスポンダのアンテナ）中に電流を誘導する。このトランスポンダは、非接触型リーダ（ＰＣＤ）によって伝送された電磁界（またはＲＦフィールド）を、ダイオード整流器によってＤＣ電圧に変換する。このＤＣ電圧がトランスポンダの内部回路に電力供給する。両方のアンテナの構成及び同調が、一方の装置から他方の装置への結合効率を決める。このトランスポンダは、非接触型支払カードとすることができる。
【０００４】
【非特許文献１】ISO/IEC 10536規格書
【非特許文献２】ISO/IEC 14443規格書
【非特許文献３】ISO/IEC 15639規格書
【０００５】
非接触型支払カードシステムが経済的に実現可能になり、商業的に受け入れられるためには、非接触型支払カードは、カード及び端末が、特定のカードプロバイダ（提供者）／発行者、ベンダー（販売者）、あるいは端末製造業者の独自の技術的特徴を有する際にも、すべての、あるいは大部分のＲＦＩＤ対応型支払端末において相互運用可能でなければならない。産業全体にわたる相互運用性が望まれる。この目的に向けて、工業標準化組織及びグループ（例えば国際標準化機構（ＩＳＯ：International Organization for Standards）及び国際電気標準会議（ＩＥＣ：International Electro-Technical Committee））が、非接触型支払技術の実現のための自主工業規格を公式化してきた。ＩＳＯ／ＩＥＣによって規定されているこうした規格の代表的な３つがISO/IEC 10536、ISO/IEC 14443、及びISO/IEC 15639であり、それぞれ密着型（Close Coupling）、近接型（Proximity）、及び近傍型（Vicinity）カードに適用可能である。
【０００６】
ISO/IEC 14443近接型カード規格（ISO 14443）は、世界中に配備されたいくつかの非接触型カードに使用されてきた。ISO 14443近接型カードの目標動作範囲は10cmまでであるが、この範囲は電力要求、メモリーサイズ、ＣＰＵ、及びコプロセッサに応じて変動する。
【０００７】
ISO 14443規格書は次の４つの別個の部分を有する：
・第１部：物理特性、近接型集積回路カード（ＰＩＣＣ：Proximity Integrated Circuit Card）の物理的寸法を規定する。このカードはＩＤ−１サイズ（85.6mm×54.0mm×0.76mm）である。これは銀行系クレジットカードと同じサイズである。
【０００８】
・第２部：無線周波数電力及び信号インタフェース、非接触型ＩＣチップのキー技術特性を規定し、周波数、データレート（速度）、変調、及びビット符号化手順のような項目を含む。第２部には２つの変種（バリエーション）が詳記され、即ちタイプＡ（Type A）インタフェース及びタイプＢ（Type B）インタフェースである。両インタフェースが同じ周波数で動作し同じデータレートを使用するが、これらは変調及びビット符号化の領域において互いに異なる
【０００９】
・第３部：初期化及び衝突防止。初期化は、カードがリーダの無線周波数（ＦＲ）フィールド（電磁界）中に持ち込まれた際に、近接結合装置（ＰＣＤ）（即ちリーダ）とカードとが通信を確立するための要求を記述する。衝突防止は、複数のカードが磁界中に同時に入った際に発生することを規定し、システムが取引に使用するカードを決定する方法を識別し、提示されたすべてのカードが目録に記入され処理されることを保証する。
【００１０】
・第４部：伝送プロトコル、取引中の通信を可能にするデータフォーマット及びデータ要素を規定する。
【００１１】
非接触支払カードのシステムをISO 14443に準拠させるためには、これらのカードは上記自主規格の各部の少なくとも一部の要求に合わなければならない。ISO 14443の下で標準化された非接触技術に加えて、多数の独自の非接触型インタフェース（例えばCubic（登録商標）のGO-Card（登録商標））及びソニー社のフェリカ（FeliCa）カード（登録商標））も産業において使用されている。既存のカード技術の発展により、相互運用性が問題となり得る。ベンダーによって市場に配備されたカードリーダは、好適には、いくつかの異なるカードのタイプに適応すべきである。例えば、望ましいカードリーダはISO 14443のタイプＡカード及びタイプＢカード、ISO 15639カード、及びあらゆる追加的な独自のカードタイプをサポートする。
【００１２】
【非特許文献４】ISO/IEC 10373規格書
【００１３】
相互運用性の問題は、恐らくは単一のＩＳＯ規格（例えばISO 14443）に準拠したカード配備でも生じ得る。ISO 14443規格では、非接触型カード及びリーダシステムにおけるＲＦ電力及び信号インタフェースに関するすべての要求及び仕様（即ち、システムのオープンシステム相互接続（ＯＳＩ：Open System Interconnection）モデルの見方における物理層）は、カード用とリーダ用とで別個に標準化されたテストを用いて規定されている。ISO/IEC 10373規格の第６部（ISO 10373-6）は、非接触型集積回路カード技術（近接型カード）に特有のテスト方法を取り扱う。非接触型カード及びリーダのISO 14443への準拠は基準装置を用いて検証される。ISO 10373-6によれば、非接触型カードの特性を表現する一組の「基準」カード（即ち基準ＰＩＣＣ）を用いて、非接触型リーダの仕様準拠を測定する（図１Ａ参照）。例えば、基準ＰＩＣＣを用いて、ＰＣＤによって生成または伝送される磁界をテストし、そしてＰＣＤがＰＩＣＣに電力供給する能力をテストする。同様に、代表的な非接触型リーダの特性を表現することのできる「基準」リーダ（即ちテストまたは基準ＰＣＤ）を用いて、非接触型カードの仕様準拠を測定する。例えば、基準ＰＣＤを用いて、テスト中にカードによって生成される負荷変調をテストする。
【００１４】
図１Ｂに、ISO 10373-6の下で、製品のリーダ上で行われる、カードとカードリーダとの間の電力リンク及びデータリンクをテストするための機能テストを示す。
【００１５】
カードとリーダとで別個の、ISO 10373-6の下の準拠テスト手順は、配備された製品装置が個別に、カードまたはリーダのいずれかについての指定仕様範囲に入る特性を有することを保証することはできるが、実地における相互運用性は保証しない。準拠しているものとして検証されたカード及び／またはリーダは（例えば、指定された仕様範囲の終端または末端において特性値を有することによって）ぎりぎりの所でそう検証されているに過ぎないことがある。こうした規格準拠の方法は実地における動作支障に至り得る。例えば、ぎりぎりの所で準拠しているカードは、これもぎりぎりの所で準拠しているに過ぎないカードリーダを用いれば、読取り不能または読取り困難であり得る。
【００１６】
現在、非接触型電子支払システムにおける電子支払装置の相互運用性を増強する方法の検討が行われている。一般に受け入れられている規格に合ったカード及びリーダの特性の変動を低減することが注目されている。特に、相互運用性を増強するための規格準拠手順を改善することが注目されている。
【００１７】
（発明の概要）
本発明によれば、非接触型電子支払システムにおける電子支払装置の相互運用性を増強する方法及びシステムが提供される。この電子支払装置は、消費者に対して発行されたＲＦＩＤ埋込み型カード、及び販売者によって配備されたＲＦＩＤ対応型リーダのような近接結合装置を含む。この方法及びシステムは、基準カード及び基準リーダを使用して、発行されたカード及び配備されたリーダのそれぞれについて許容される仕様を確立することを含む。これらの基準カードと基準リーダとは、カード及びリーダについての動作仕様に結び付くように相互較正されている。そして、適正なカード及びリーダの機能についての重複した仕様範囲または許容誤差の適切な選択は、発行されたカードの配備されたリーダとの相互運用性を増強し、そして配備されたリーダの発行されたカードとの相互運用性も増強する。
【００１８】
本発明のさらなる特徴、その性質、及び種々の利点は、以下の図面を参照した実施例の詳細な説明より一層明らかになる。
【００１９】
【非特許文献５】MasterCard PayPassTM ISO/IEC 14443 Implementation Specification
【００２０】
（実施例の詳細な説明）
以下、電子支払システムの関係で本発明を説明し、このシステムでは、非接触型支払カードはISO 14443規格のような一般的な産業規格に準拠することを意図され、こうした産業規格はさらに、個別の非接触型支払装置の仕様を検証するための標準化されたテスト方法（即ちISO 10373-6テスト法、近接型カード）を指定する。近年、マスターカード社（MasterCard International Incorporated）は、近接型支払カード技術の実現のための、独自仕様”MasterCard PayPassTM（登録商標）ISO/IEC 14443 Implementation Specification”（”PayPass”（登録商標））（マスターカード・ペイパス（登録商標）ISO/IEC 14443実現仕様、略称「ペイパス（登録商標）」）を開発した。ペイパス実現はISO 14443規格に整合し、本発明の原理を例示する好都合な例を提供する。例示目的でのペイパス実現の選択は好適なものに過ぎず、本発明の原理は、一般的な産業規格または独自規格の下で動作する電子支払装置及びシステムにより汎用的に適用することができることは明らかである。
【００２１】
本発明は、実地において電子支払取引を行うために使用することのできる、非接触型支払装置（即ち、消費者に対して発行された製品のカード及び販売者によって配備された製品のリーダ）の相互運用性を増強するための方法及びシステムを提供する。このシステム及び方法は、個別製品のカード及びリーダが、ISO 14443規格の下で動作することを許容されているよりもきつい仕様範囲内で動作または機能することを保証する。このシステム及び方法は、ISO 14443及びISO 10373-6規格の下で個別製品のリーダ及びカードの仕様準拠をテストするために使用する基準装置（即ち基準ＰＩＣＣ及び基準ＰＣＤ装置）を相互較正することを含む（図２Ａ参照）。基準ＰＣＤを用いて、規準ＰＩＣＣの観測される機能的挙動またはパラメータの範囲（「公称カード範囲」）を確立する。製品のカードリーダは、基準ＰＣＤによって測定されたこの公称カード範囲内にある機能的挙動またはパラメータを有することを要求される。逆に、規準ＰＩＣＣを用いて、基準ＰＣＤの観測される機能的挙動またはパラメータの範囲（「公称リーダ範囲」）を確立する。製品のリーダは、基準カードを読み取る際に、公称リーダ範囲内にある機能的挙動またはパラメータを有することを要求される。
【００２２】
図２Ｂに、本発明によるペイパス実現の下で行う機能テストを図式的に示す。
【００２３】
基準ＰＩＣＣと基準ＰＣＤとの相互較正は、２つの標準装置間の関係を確立し、個別製品のカードについての仕様を製品のリーダについての仕様と結び付ける。このことは、従来の、カード及びリーダの仕様の、非接続または別個のテストの下で、例えば、カード及びリーダが、ISO 14443規格の下で許容されるそれぞれの仕様範囲の極端な所にある際に生じ得る相互運用性の支障を回避する。
【００２４】
このシステム及び方法（本明細書では両者を集合的に「ペイパス実現」と称する）は、装置パラメータの適切な選択または仕様上で製品の支払装置の相互運用性を保証する数学的アルゴリズムに基づく。
【００２５】
製品のリーダ（例えばＰＣＤリーダ）が製品のカード（例えばＰＩＣＣカード）と適正に機能することを保証するために、ペイパス基準ＰＩＣＣを用いて、変数ｘの関数である挙動の範囲[ｆ2(ｘ)，ｆ3(ｘ)]を生成する。関数ｆは例えば、距離の関数としての磁界応答とすることができる。この挙動の範囲[ｆ2(ｘ)，ｆ3(ｘ)]は、ペイパス基準ＰＣＤ上で観測される（図３参照）。
【００２６】
ペイパス実現は、製品のカード（即ちＰＩＣＣカード）が、「準拠する」ものとして確立されたカード挙動の範囲[ｆ2(ｘ)，ｆ3(ｘ)]内に入る挙動ｆc(ｘ)を表わさなければならないことを要求または指定することができる。この挙動ｆc(ｘ)はペイパス基準ＰＣＤ上で観測される（図４参照）。
【００２７】
さらに、ペイパス実現は、製品のリーダ（即ちＰＣＤリーダ）が、ペイパス基準ＰＣＤ上で「準拠する」ものとして観測されるカード挙動の範囲[ｆ1(ｘ)，ｆ4(ｘ)]を示すペイパス基準ＰＩＣＣと適正に機能しなければならないことを要求または指定することができる。カード挙動の範囲[ｆ1(ｘ)，ｆ4(ｘ)]がカード挙動の範囲[ｆ2(ｘ)，ｆ3(ｘ)]を含まなければならないこと、即ち、
[ｆ2(ｘ)，ｆ3(ｘ)]⊂[ｆ1(ｘ)，ｆ4(ｘ)]
を要求または指定することによって、考察中の特定のカード（ＰＩＣＣカード）の挙動ｆc(ｘ)は必ず、リーダ（ＰＣＤリーダ）の動作範囲[ｆ1(ｘ)，ｆ4(ｘ)]内にある（図５及び６参照）。従って、製品のリーダ（ＰＣＤリーダ）が製品のカード（ＰＩＣＣカード）と適正に動作することが期待される。
【００２８】
同様に、製品のカード（例えばＰＩＣＣカード）が製品のリーダ（例えばＰＣＤリーダ）と適正に機能することを保証するために、ペイパス基準ＰＣＤを用いて、ペイパス基準ＰＩＣＣ上で観測される、変数ｙの関数ｇについてのリーダ挙動の範囲[ｇ2(ｙ)，ｇ3(ｙ)]を生成する。ペイパス実現は、「準拠した」リーダ（ＰＣＤリーダ）が、確立された範囲[ｇ2(ｙ)，ｇ3(ｙ)]内に入る挙動ｇc(ｙ)を表わすべきであることを要求または指定することができ、挙動ｇc(ｙ)はペイパス基準ＰＩＣＣ上で測定される。さらに、ペイパス実現は、製品のカード（即ちＰＩＣＣカード）が、ペイパス基準ＰＩＣＣ上で観測ざれるリーダ挙動の範囲[ｇ1(ｘ)，ｇ4(ｘ)]を示すペイパス基準ＰＣＤと適正に機能しなければならないことを要求または指定することができる。リーダ挙動の範囲[ｇ1(ｘ)，ｇ4(ｘ)]がリーダ挙動の範囲[ｇ2(ｘ)，ｇ3(ｘ)]を含むべきであること、即ち数学的に表現すれば
[ｇ2(ｘ)，ｇ3(ｘ)]⊂[ｇ1(ｘ)，ｇ4(ｘ)]
であることを要求または指定することによって、考察中の特定のリーダ（ＰＣＤリーダ）の挙動ｇc(ｘ)は必ず、カード（ＰＩＣＣカード）の動作範囲[ｇ1(ｘ)，ｇ4(ｘ)]内にある。従って、カード（ＰＩＣＣカード）はリーダ（ＰＣＤリーダ）と適切に動作することが期待される。
【００２９】
上述した数学的アルゴリズムの実際的な例として、製品のＰＩＣＣカードを作動させるための電力要求の例を考えることが有用であり得る。ＰＣＤリーダは、カードを作動させるために特定量の電力をＰＩＣＣに供給または伝送しなければならない。逆に、製品のＰＩＣＣカードは、ＰＣＤリーダから受信した特定量の電力で働かなければならない。ペイパス実現では、製品のＰＣＤリーダによって送達または伝送される電力ＰＣ(ｄ)を、ペイパス基準ＰＩＣＣ上で距離ｄの関数として測定する。ペイパス基準ＰＩＣＣ上で測定した電力レベルＰＣ(ｄ)の値は、電力レベルＲtx,powerの範囲内に入るように要求または指定されている。
【００３０】
相互較正手順では、ペイパス基準ＰＣＤは、範囲ＲRx,power上で変化する異なる電力レベルを生成すべく構成する。ペイパス基準ＰＣＤによって生成されたパワーレベルはペイパス基準ＰＩＣＣに対して較正し、即ち、範囲ＲRx,powerはペイパス基準ＰＩＣＣ上で測定した値である。この手順では、ペイパス−ＰＣＤに給電する信号発生器または電源（例えば電圧源）の出力を、ペイパス基準ＰＩＣＣ上で観測した電力レベルが適切な電力レベルＲRx,powerに達するまで増加または減少させることができる。数学的な要求
Ｒtx,power⊂Ｒrx,power
は、製品のＰＣＤリーダが製品のＰＩＣＣカードに適正に電力供給することを保証する（図７参照）。
【００３１】
より一般的には、以上で説明したアルゴリズムは、製品の非接触型支払装置の電力、データ転送、及び他の機能的相互運用性を保証または増強するシステム及び方法をもたらす。このシステム及び方法は例えば次の項目を含むことができる：
(a) ＰＣＤによって供給される電力を基準ＰＩＣＣ上で測定すること；
(b) 基準ＰＩＣＣ上でデータ伝送（例えば変調の深さ、または他の信号パラメータ）を測定すること；
(c) 基準ＰＩＣＣによって異なる信号を発生することによって、ＰＣＤによるデータ受信（例えば負荷変調感度）をテストすること。ペイパス基準ＰＩＣＣをまず基準ＰＣＤに対して較正して、基準ＰＩＣＣが発生する異なる信号のレベル及び特性を測定する；
(d) 基準ＰＩＣＣによるデータ伝送をＰＣＤ上で測定すること、基準ＰＣＤは「平均」値コマンドをＰＩＣＣに送信し、そして基準ＰＣＤは「平均」電力レベルを供給する。基準ＰＣＤが生成する電力レベル及びコマンド両方の特性を、基準ＰＩＣＣに対して較正する；
(e) 基準ＰＣＤを用いてＰＩＣＣのデータ受信及び電力感度をチェックすること、基準ＰＣＤが、許容誤差間隔または範囲Ｒrxの境界にある変調特性及び電力レベルを有するコマンドを送信する。ここでも、これらの極値を設定するために、基準ＰＣＤを基準ＰＩＣＣに対して較正する。
【００３２】
相互運用性を増強するためのこうしたシステム及び方法は、例えば、ペイパス実現仕様の実施に当たり利用される。ＰＩＣＣとＰＣＤとの間の非接触型インタフェース（即ち、無線周波数及び信号インタフェース）の電気特性は、”MasterCard PayPassTM ISO/IEC 14443 Implementation Specification”の”Chapter 2”（第２章）に記載されている。この再掲部分は、支払装置間の電力リンク及びデータリンクを特徴付けるために使用する基準ＰＩＣＣ装置と基準ＰＣＤ装置とを相互較正するための段階毎の手順も含む。
【００３３】
以上の説明は本発明の原理の例示に過ぎず、当業者は本発明の範囲を逸脱することなしに種々の変形を加えることができることは明らかである。
【図面の簡単な説明】
【００３４】
【図１Ａ】ISO 10373-6規格に規定された、製品の非接触型支払カードリーダの特性をテストするための基準ＰＩＣＣの使用、及び製品の非接触型支払カードの特性をテストするための基準ＰＣＤの使用を図式的に示すブロック図である。
【図１Ｂ】ISO 10373-6に従い、カードとリーダとの間の電源リンク及びデータリンクをテストするための通常の手順の下で製品のリーダ上で行われる一組の機能テストを図式的に示す図である。
【図２Ａ】本発明の原理による、基準ＰＩＣＣと基準ＰＣＤとの相互較正のステップを図式的に示すブロック図である。そして、相互較正された基準のＰＩＣＣ及びＰＣＤ装置を用いて、製品の非接触型支払カード及びリーダのそれぞれの機能特性及び仕様をテストする。
【図２Ｂ１】本発明の原理による、非接触近接型カードとリーダとの間の電源リンク及びデータリンクをテストするための、製品のリーダ上で行われる機能テストを図式的に示す図である。
【図２Ｂ２】本発明の原理による、非接触近接型カードとリーダとの間の電源リンク及びデータリンクをテストするための、製品のリーダ上で行われる機能テストを図式的に示す図である。
【図２Ｂ３】本発明の原理による、非接触近接型カードとリーダとの間の電源リンク及びデータリンクをテストするための、製品のリーダ上で行われる機能テストを図式的に示す図である。
【図２Ｂ４】本発明の原理による、非接触近接型カードとリーダとの間の電源リンク及びデータリンクをテストするための、製品のリーダ上で行われる機能テストを図式的に示す図である。
【図３】本発明の原理による、基準カードによってシミュレートし、基準リーダによって測定または観測した多種のカードの挙動の範囲を示すグラフである。
【図４】本発明の原理による、その挙動が図３で観測される挙動の範囲内にある準拠カードの挙動を示すグラフである。
【図５】本発明の原理による、基準リーダ上で測定した基準カードの挙動を、図３に示す挙動に対して示すグラフである。
【図６】本発明の原理による、較正した基準リーダ上で測定した、図４の準拠カードの挙動を示すグラフである。
【図７】本発明の原理による、相互較正した基準装置から導出した重複した仕様を示すグラフである。
【図１Ａ】
2008507044.tif 000003
【図１Ｂ】
2008507044.tif 000004
【図２Ａ】
2008507044.tif 000005
【図２Ｂ１】
2008507044.tif 000006
【図２Ｂ２】
2008507044.tif 000007
【図２Ｂ３】
2008507044.tif 000008
【図２Ｂ４】
2008507044.tif 000009
【図３】
2008507044.tif 000010
【図４】
2008507044.tif 000011
【図５】
2008507044.tif 000012
【図６】
2008507044.tif 000013
【図７】
2008507044.tif 000014
【国際調査報告】
2008507044.tif 000015